(57)【要約】      （修正有）【課題】場所をとることなく最小限のスペースで鈴棒を確実に保持することができると共に、埃塵等が溜まりにくく、鈴棒を大切に包持することができる有用な鈴棒載置台を提供する。【解決手段】所定大きさの座部１と、鈴棒２を立てた状態に保持せしめる載置台３とを備える。座部１は、木材、合成樹脂、金属等の適宜素材からなり、置台３の外径よりも大き基台から形成される。載置台３は、前記座部１と同様、木材、合成樹脂、金属等の適宜素材で円筒状（環状）に成形されており、軸心方向に立設手段４が付設されて仏壇周りの床、畳、経机の適宜位置に載置される。立設手段４は、鈴棒２の略半分以上を許容する大きさに形成された開口凹部からなり、鈴棒２を着脱かつ正倒立自在に保持することができる。【選択図】図２
0003102757.tif 000002
【実用新案登録請求の範囲】
【請求項１】
鈴棒を立てた状態に保持せしめる立設手段を備えたことを特徴とする鈴棒載置台。
【請求項２】
仏壇周りの床、畳、経机等の所定位置に載置される座部と、該座部の上位で鈴棒を立てた状態に保持する立設手段とを備えてなることを特徴とする鈴棒載置台。
【請求項３】
前記立設手段は、鈴棒の一部若しくは全部を許容する大きさに形成された開口凹部であることを特徴とする請求項１又は２に記載の鈴棒載置台。
【請求項４】
前記座部は、載置台の外径よりも大きな基台からなり、該基台の上に環状の載置台を立設してなることを特徴とする請求項２に記載の鈴棒載置台。
【考案の詳細な説明】
【技術分野】
【０００１】
本考案は、鈴棒載置台の改良に関し、更に詳しくは、場所をとることなく最少のスペースで鈴棒を確実に保持することができる有用な鈴棒載置台に関する。
【背景技術】
【０００２】
従来、斯かる鈴棒載置台としては、例えば、水平台板上に一定高さの鈴棒載置台部を一体に設けた鈴棒載置台であって、鈴棒載置台部の幅を鈴棒の直径寸法よりも大きい幅寸法に形成していると共に、長さを鈴棒よりも短く形成してあり、鈴棒載置台部の上面を両測端縁から幅方向の中央に向かって下方に傾斜した傾斜面を有するＶ字状の鈴棒載置溝に形成したものが既に案出されている（特許文献１参照）。
【特許文献１】登録実用新案公報第３００５７１１号
【考案の開示】
【考案が解決しようとする課題】
【０００３】
しかしながら、上述した従来の鈴棒載置台にあっては、載置溝の傾斜面上に鈴棒を載せるだけで、左右の妄動を規制した正確な位置に鈴棒を自動的に定置させることができるといった利点を有するものの、外形寸法が大きくなるため、必要以上に場所をとってしまうと共に、Ｖ字状の鈴棒載置溝に埃塵等が溜まり易いといった問題がある。
【０００４】
本考案はこのような従来の問題点に鑑みてなされたもので、場所をとることなく最小限のスペースで鈴棒を確実に保持することができると共に、埃塵等が溜まりにくく、鈴棒を大切に包持することができる有用な鈴棒載置台を提供することを目的としたものである。
【課題を解決するための手段】
【０００５】
上述の如き従来の問題点を解決し、所期の目的を達成するため本考案の要旨とする構成は、鈴棒を立てた状態に保持せしめる立設手段を備えた鈴棒載置台に存し、延いては、仏壇周りの床、畳、経机等の所定位置に載置される座部と、該座部の上位で鈴棒を立てた状態に保持する立設手段とを備えてなる鈴棒載置台に存する。
【０００６】
また、前記立設手段は、鈴棒の一部若しくは全部を許容する大きさに形成された開口凹部であるのが良い。
【０００７】
更に、前記座部は、載置台の外径よりも大きな基台からなり、該基台の上に環状の載置台を立設せしめるのが良い。
【考案の効果】
【０００８】
本考案は上述のように構成され、鈴棒を立てた状態に保持せしめる立設手段を備えたこと、延いては、仏壇周りの床、畳、経机等の所定位置に載置される座部と、該座部の上位で鈴棒を立てた状態に保持する立設手段とを備えてなることによって、従来の如く場所をとることもなく鈴棒を最小限のスペースで保持できるといった効果を奏するものである。
【０００９】
また、前記立設手段が、鈴棒の一部若しくは全部を許容する大きさに形成された開口凹部であることによって、鈴棒の着脱保持が極めて簡単にできる他、鈴棒が床等に触れることがなく、また、従来の如く埃塵等で安易に汚れないように鈴棒を包持できるといった効果を奏するものである。
【００１０】
更に、前記座部は、載置台の外径よりも大きな基台からなり、該基台の上に環状の載置台を立設せしめることによって、鈴棒をより安定的に保持できるといった効果を奏するものである。
【００１１】
また、本考案の鈴棒載置台は、構成が単純であるため大量生産に適し、価格も低廉なものとして需要者に供給できる等、本考案を実施することはその実益的価値が甚だ大なるものがある。
【考案を実施するための最良の形態】
【００１２】
床、畳、経机等の所定位置に載置される座部の上面に、鈴棒を立てた状態に保持する開口凹部を備えるのが良い。
【実施例】
【００１３】
次に、本考案の実施の一例を図面を参照しながら説明する。図中Ａは、本考案に係る鈴棒載置台であり、この鈴棒載置台Ａは、図１に示すように、所定大きさの座部１と、鈴棒２を立てた状態に保持せしめる載置台３とを備えている。
【００１４】
前記座部１は、木材、合成樹脂、金属等の適宜素材からなり、後述する載置台３の外径よりも大きな基台から形成されている。斯かる基台の大きさとしては、例えば、直径３８ｍｍ、厚み１０ｍｍの円盤状（図１参照）若しくは矩形状（図３参照）の基台が挙げられる。
【００１５】
前記載置台３は、前記座部１と同様、木材、合成樹脂、金属等の適宜素材で円筒状（環状）に成形されており、軸心方向に立設手段４が付設されて仏壇周りの床、畳、経机の適宜位置に載置される。
【００１６】
立設手段４は、鈴棒２の略半分以上を許容する大きさに形成された開口凹部からなり（図２参照）、鈴棒２を着脱かつ正倒立自在に保持することができる。
【００１７】
また、開口凹部の内径寸法は、使用する鈴棒２の太さに応じて異なるものであることは云うまでもないが、例えば、長さ１２．５ｍｍ、太さ（直径）１５ｍｍの鈴棒２を使用する場合には、高寸５０ｍｍ、外径２４ｍｍの円筒状の載置台３に対し、軸心に内径２０ｍｍの開口凹部を穿設するのが良い。
【００１８】
このように構成される本考案の鈴棒載置台Ａは、図２に示すように、載置台３の立設手段（開口凹部）４内に鈴棒２を簡単かつ着脱自在に挿着できると共に、正倒立自在に立設できるため、最小限のスペースで鈴棒２を確実に保持できるものであり、意に反して転がり回ることもない。
【００１９】
しかも、鈴棒２の開口凹部内への着脱保持が極めて簡単にできる他、床等に触れることがないため、神聖であり、また、従来の如く埃塵等で安易に汚れないように鈴棒２を包持できるのである。
【００２０】
尚、本考案の鈴棒載置台は、本実施例に限定されることなく、本考案の目的の範囲内で自由に設計変更し得るものであり、本考案はそれらの全てを包摂するものである。例えば、鈴棒２の着脱操作がなし易いように座部１に対し載置台３を角度調整自在に取り付けても良く、また、座部１の中や底面に磁石や錘を取り付けても良い。
【００２１】
また、本考案の鈴棒載置台は、鈴棒２を立てた状態に保持できる立設手段４を有するものであれば、如何なる形状にしても良く、また、座部１や載置台３の表面に色や模様を施したり、戒名や俗名等を記しても良く、本実施例で示した座部１，載置台３の形状や大きさ等に限定されるものではない。
【００２２】
尚、本明細書で言及されている「開口凹部」とは、開口部のみならず凹部、孔部をも包摂するものである。  
【図面の簡単な説明】
【００２３】
【図１】本考案に係る鈴棒載置台の第１実施例を示す斜視図である。
【図２】同鈴棒載置台に鈴棒を挿着した状態を示す説明図である。
【図３】同鈴棒載置台の第２実施例を示す斜視図である。
【符号の説明】
【００２４】
１  座部
２  鈴棒
３  載置台
４  立設手段
【図１】
0003102757.tif 000003
【図２】
0003102757.tif 000004
【図３】
0003102757.tif 000005